(57)【特許請求の範囲】
【請求項１】
画像を表わす露光光照射による刺激を受けて可視画像が書き込まれる画像記録媒体に露光光を照射することにより該画像記録媒体に可視画像を書き込む画像書込装置において、
綴られた複数枚の画像記録媒体がセットされセットされた複数枚の画像記録媒体の綴りを解く綴代解除部と、
前記複数枚の画像記録媒体１枚ずつに順次露光光を照射して該画像記録媒体に可視画像を記録する画像書込部と、
前記画像書込部により可視画像が書き込まれた画像記録媒体を、所定の再綴り位置に搬送する媒体搬送部と、
前記媒体搬送部により再綴り位置に搬送された複数枚の画像記録媒体を再度綴る再綴り部とを備えたことを特徴とする画像書込装置。
【請求項２】
画像を表わす露光光照射による刺激を受けて可視画像が書き込まれる画像記録媒体に露光光を照射することにより該画像記録媒体に可視画像を書き込む画像書込装置において、
綴られた複数枚の画像記録媒体がセットされセットされた複数枚の画像記録媒体を１枚ずつ所定の画像書込位置に移動させるとともに、さらに該画像書込位置から離れた書込最終位置に移動させる媒体移動機構と、
前記画像書込位置に順次移動してきた各画像記録媒体に各可視画像を書き込む画像書込部とを備えたことを特徴とする画像書込装置。
【請求項３】
画像を表わす露光光照射による刺激を受けて可視画像が書き込まれる画像記録媒体に露光光を照射することにより該画像記録媒体に可視画像を書き込む画像書込装置において、
綴られた複数枚の画像記録媒体がセットされセットされた画像記録媒体のうちの端に重ねられた１枚の画像記録媒体に露光光を照射して可視画像を書き込む画像書込部と、
該画像書込部で可視画像が書き込まれるごとに、前記画像書込部にセットされた、綴られた複数枚の画像記録媒体のうちの可視画像が書き込まれた１枚の画像記録媒体を該画像書込部から退避させる媒体退避機構とを備えたことを特徴とする画像書込装置。
【請求項４】
前記画像記録媒体は、露光光の照射による刺激とともに電界の印加による刺激を受けて可視画像が書き込まれるものであって、
前記画像書込部は、可視画像が書き込まれる１枚の画像記録媒体にのみ電界を印加するための電極を備えたものであることを特徴とする請求項１〜３記載の画像書込装置。
【請求項５】
画像を表わす露光光による刺激を受けて可視画像が書き込まれる矩形の複数枚の画像記録媒体の一辺が相互に綴られてなることを特徴とする画像記録媒体。
【発明の詳細な説明】
【０００１】
【発明の属する技術分野】
本発明は、画像を表わす露光光照射による刺激を受けて可視画像が書き込まれる画像記録媒体に露光光を照射することによりその画像記録媒体に可視画像を書き込む画像書込装置、およびその画像記録媒体に関する。
【０００２】
【従来の技術】
従来より、パーソナルコンピュータ等で作成された文書や絵の情報をＣＲＴや液晶表示装置等の画像表示装置に表示しておき、その表示された情報を手に何枚も持って閲覧できるような媒体（ハードコピー媒体）に変換する手段としては、紙へのプリントアウトが一般的である。また、これ以外に、画面に表示された情報をインスタントカメラ等により撮影して写真フイルムに変換するというようなことも行なわれている。いずれの場合であっても所定の時間を必要とし、このため思考が中断されて創作的作業の効率が低下するという問題がある。
【０００３】
また、複写機やプリンタ等の印字装置において、複数ページにまたがる紙への複写（コピー）やプリントアウトは、それらの装置を通して一枚毎に行なわれる。従って、ノートのように複数ページが事前に綴られた媒体にコピーやプリントアウトを行なうには、一度、各ページを切り離す必要があるという問題を抱えている。
【０００４】
近年では、森林資源の保護や廃棄物処理といった環境問題から、紙に変わる新しいハードコピー媒体への期待が高まっている。そのような背景から、「電子ぺーパー」（光書込型記録媒体）と呼ばれる新規の画像記録媒体の研究が盛んに行われている。例えば、Ｈ．Ｙｏｓｈｉｄａ，Ｔ．Ｔａｋｉｚａｗａら“Ｒｅｆｌｅｃｔｉｖｅ  Ｄｉｓｐｌａｙ  ｗｉｔｈ  Ｐｈｏｔｏｃｏｎｄｕｃｔｉｖｅ  Ｌａｙｅｒ  ａｎｄ  ａ  Ｂｉｓｔａｂｌｅ，Ｒｅｆｌｅｃｔｉｖｅ  Ｃｈｏｌｅｓｔｅｒｉｃ  Ｍｉｘｔｕｒｅ”ＳＩＤ’９６  ＡＰＰＬＩＣＡＴＩＯＮＳ  ＤＩＧＥＳＴ  ｐ５９〜ｐ６２に記載されているように、コレステリック液晶よりなる表示層とアモルファスシリコンよりなる光スイッチング層とを備えた画像記録媒体や、Ｊａｐａｎ  Ｈａｒｄｃｏｐｙ’９６  Ｆａｌｌ  Ｍｅｅｔｉｎｇｐ２５に記載されているように、メモリ性のある液晶素子と有機感光体を積層した画像入カシステムであるエルグラフィシステムなどが知られている。
【０００５】
通常、このような光書込型記録媒体である画像記録媒体は、所定の電圧を光スイッチング層に印加しつつ、受光した光量により光スイッチング層のインピーダンスを変化させて表示層に印加される電圧を制御することにより表示層を駆動して画像表示を行なうものである。
【０００６】
このような画像記録媒体の表示層に用いる表示材料としては、コレステリック液晶の他に、ネマチック液晶、ツイストネマチック液晶、スーパーツイスト液晶、スメクチック液晶などの液晶材料や、表面安定化強誘電液晶、液晶材料をポリマ分散化したポリマ分散型液晶、液晶材料をカプセル化したカプセル化液晶などが知られている。これらのうち、メモリ性を有する表示材料を利用したものは、記録表示状態を保持するのに電力を必要としないため、画像情報を記録表示した後、画像記録媒体を画像書込装置から切り離して持ち歩くことが可能である。このようなメモリ性を有する表示材料としては、コレステリック液晶、強誘電液晶や、ポリマ分散化液晶、カプセル化液晶などがある。
【０００７】
コレステリック液晶を用いた画像記録媒体は、ＣＲＴや液晶表示装置の表示画面を瞬時に記録（転写）することができ、紙へのプリントアウト若しくはインスタントカメラ等による写真撮影と比較し、ハードコピーの作成にあたり時間が短くて済み、思考が中断されることが緩和されて創作的作業の効率が低下するということが防止される。また、森林資源の保護や廃棄物処理といった環境問題も解消することができる。
【０００８】
【発明が解決しようとする課題】
しかし、上述したコレステリック液晶を用いた画像記録媒体において、事前に綴られた複数枚の画像記録媒体に対して、効率良く画像データを書き込むための画像書込装置は提案されていないという問題がある。
【０００９】
本発明は、上記事情に鑑み、綴られた複数枚の画像記録媒体に効率良く画像データを書き込むことのできる画像書込装置および画像記録媒体を提供することを目的とする。
【００１０】
【課題を解決するための手段】
上記目的を達成する本発明の画像書込装置のうちの第１の画像書込装置は、画像を表わす露光光照射による刺激を受けて可視画像が書き込まれる画像記録媒体に露光光を照射することによりその画像記録媒体に可視画像を書き込む画像書込装置において、
綴られた複数枚の画像記録媒体がセットされセットされた複数枚の画像記録媒体の綴りを解く綴代解除部と、
上記複数枚の画像記録媒体１枚ずつに順次露光光を照射してそれら画像記録媒体に可視画像を記録する画像書込部と、
上記画像書込部により可視画像が書き込まれた画像記録媒体を、所定の再綴り位置に搬送する媒体搬送部と、
上記媒体搬送部により再綴り位置に搬送された複数枚の画像記録媒体を再度綴る再綴り部とを備えたことを特徴とする。
【００１１】
また、上記目的を達成する本発明の画像書込装置のうちの第２の画像書込装置は、画像を表わす露光光照射による刺激を受けて可視画像が書き込まれる画像記録媒体に露光光を照射することによりその画像記録媒体に可視画像を書き込む画像書込装置において、
綴られた複数枚の画像記録媒体がセットされセットされた複数枚の画像記録媒体を１枚ずつ所定の画像書込位置に移動させるとともに、さらにその画像書込位置から離れた書込最終位置に移動させる媒体移動機構と、
上記画像書込位置に順次移動してきた各画像記録媒体に各可視画像を書き込む画像書込部とを備えたことを特徴とする。
【００１２】
さらに、上記目的を達成する本発明の画像書込装置のうちの第３の画像書込装置は、画像を表わす露光光照射による刺激を受けて可視画像が書き込まれる画像記録媒体に露光光を照射することによりその画像記録媒体に可視画像を書き込む画像書込装置において、
綴られた複数枚の画像記録媒体がセットされセットされた画像記録媒体のうちの端に重ねられた１枚の画像記録媒体に露光光を照射して可視画像を書き込む画像書込部と、
その画像書込部で可視画像が書き込まれるごとに、上記画像書込部にセットされた、綴られた複数枚の画像記録媒体のうちの可視画像が書き込まれた１枚の画像記録媒体をその画像書込部から退避させる媒体退避機構とを備えたことを特徴とする。
【００１３】
ここで、上記第１，第２，第３の画像書込装置において、上記画像記録媒体は、露光光の照射による刺激とともに電界の印加による刺激を受けて可視画像が書き込まれるものであって、
上記画像書込部は、可視画像が書き込まれる１枚の画像記録媒体にのみ電界を印加するための電極を備えたものであることが好ましい。
【００１４】
また、上記目的を達成する画像記録媒体は、画像を表わす露光光による刺激を受けて可視画像が書き込まれる矩形の複数枚の画像記録媒体の一辺が相互に綴られてなることを特徴とする。
【００１５】
【発明の実施の形態】
以下、本発明の画像書込装置について説明する。
【００１６】
図１は、本発明の第１の画像書込装置の一実施形態を示す斜視図である。
【００１７】
図１に示す画像記録装置１は、画像を表わす露光光照射による刺激とともに電界の印加による刺激を受けて可視画像が書き込まれる、ノートのような片側に綴代を設けた画像記録媒体に、露光光を照射するとともに電界を印加することによりその画像記録媒体に可視画像を書き込む、ソータ方式を採用した画像書込装置である。
【００１８】
この画像記録装置１には、画像記録媒体１００＿１，１００＿２，１００＿３を１枚ずつ順次に露光光を照射するとともに電界を印加してそれら画像記録媒体１００＿１，１００＿２，１００＿３に可視画像を記録する画像書込部２０が備えられている。ここで、画像記録媒体１００＿１，１００＿２，１００＿３は、露光光の照射による刺激とともに電界の印加による刺激を受けて可視画像が書き込まれるものであり、各画像記録媒体１００＿１，１００＿２，１００＿３には、綴代１００ａと、支持ガイド部１００ｂと、綴代１００ａに設けられタップ加工された自動綴代固定部１００ｃとが備えられている。
【００１９】
また、画像記録装置１には、綴られた３枚の画像記録媒体１００＿１，１００＿２，１００＿３がセットされセットされた３枚の画像記録媒体１００＿１，１００＿２，１００＿３の綴りを解く綴代解除部１０（図２参照）が、上記画像書込部２０内部に備えられている。
【００２０】
さらに、画像記録装置１には、画像書込部２０により可視画像が書き込まれた画像記録媒体１００＿１，１００＿２，１００＿３を、所定の再綴り位置に搬送する媒体搬送部３０が備えられている。
【００２１】
また、画像記録装置１には、媒体搬送部３０により再綴り位置に搬送された画像記録媒体１００＿１，１００＿２，１００＿３を再度綴る再綴り部４０が備えられている。
【００２２】
図２は、図１に示す画像記録装置の断面図である。
【００２３】
図２に示す画像記録装置１を構成する媒体搬送部３０には、支持ゴムロール３１＿１，３１＿２，３１＿３，３１＿４と、支持スライドレール３２と、ステッピングモータ３３＿１，３３＿２と、駆動ゴムロール３４＿１，３４＿２とが備えられている。また、画像記録媒体１００＿１，１００＿２，１００＿３には電極１００ｄが備えられている。
【００２４】
一方、画像書込部２０には、可視画像が書き込まれる１枚の画像記録媒体にのみ電界を印加するための電極２１が備えられている。また、画像書込部２０の内部に、綴ネジ加工ピン１１を保持する綴代解除部１０が備えられている。
【００２５】
綴られた３枚の画像記録媒体１００＿１，１００＿２，１００＿３に画像を書き込むには、これら３枚の画像記録媒体１００＿１，１００＿２，１００＿３を媒体搬送部３０にセットする。すると、支持ゴムロール３１＿１，３１＿２がスプリング加圧されて、画像記録媒体１００＿１，１００＿２，１００＿３の支持ガイド部１００ｂが押さえつけられて画像書込部２０に密着する。これにより、画像記録媒体１００＿１の電極１００ｄが画像書込部２０の電極２１に接触する。また、綴ネジ加工ピン１１が画像記録媒体１００＿１，１００＿２，１００＿３に挿通される。このような状態で、先ず画像記録媒体１００＿１に図示しない表示デバイスの画像が書き込まれる。書込みが終了すると、綴ネジ加工ピン１１が上昇し、１番下の画像記録媒体１００＿１のみが切り離される。切り離された画像記録媒体１００＿１は、ステピングモータ３３＿１，３３＿２の駆動を受けて駆動する駆動ゴムロール３４＿１，３４＿２により支持ズライドレール３２に添ってＡ方向に移動し、画像書込装置１から取り出される。すると、重力と支持ローラ３１＿１，３１＿２の圧力で２枚目の画像記録媒体１００＿２の電極１００ｄが画像書込部２０の電極２１に接触する。以下、１枚目の画像記録媒体１００＿１と同様にして、画像記録媒体１００＿２に画像が書き込まれる。このようにして、全ての画像記録媒体１００＿１，１００＿２，１００＿３に画像が書き込まれる。
【００２６】
図３は、綴代解除部の構造を示す図である。
【００２７】
この綴代解除部１０では、ステッピングモータ１２に軸支されたギア１３＿１がギア１３＿２に噛合している。このギア１３＿２は、スプリング１４で加圧された状態でドライバヘッド１５を介して綴ネジ加工ピン１１を押し付けている。画像記録媒体１００＿１，１００＿２，１００＿３側の自動綴代固定部１００ｃは、タップ加工されており、ステピングモータ１２の回転制御で綴ネジ加工ピン１１が上下し、これにより画像記録媒体１００＿１，１００＿２，１００＿３の固定および解除が制御される。この時、最終的に書き込まれる媒体である画像記録媒体１００＿３には、綴ネジ加工ピン１１が綴ネジ加工ピン脱落防止ガイド１６によって脱落せずに付属して搬送される。その後、全ての画像記録媒体１００＿１，１００＿２，１００＿３は、図１に示す再綴り部４０で綴ネジ加工ピン１１により再度綴られる。
【００２８】
本実施形態の画像書込装置１は、上述したように、ノートのような片側に綴代をとった画像記録媒体に、機械的動作で自動的に１枚１枚独立して書き込むことにより、綴られた複数枚の画像記録媒体に効率良く画像データを書き込むことができる。
【００２９】
図４は、本発明の第２の画像書込装置の一実施形態にセットされた複数枚の画像記録媒体を示す図である。
【００３０】
図４に示すように、可視画像が書き込まれる矩形の５枚の画像記録媒体１００＿１１，１００＿１２，１００＿１３，１００＿１４，１００＿１５の一辺は相互に綴られている。この画像記録装置２は、後述する媒体移動機構２１０の回転軸２１１を画像記録媒体１００＿１１，１００＿１２，１００＿１３，１００＿１４，１００＿１５の角の１点におき、それら画像記録媒体１００＿１１，１００＿１２，１００＿１３，１００＿１４，１００＿１５を、風車のように回転させて書込みページを切り換えて行く方式である。この方式では、画像記録媒体１００＿１１，１００＿１２，１００＿１３，１００＿１４，１００＿１５は束ねられた状態で、画像記録装置２上にセットされ、その画像記録装置２側に一番近い画像記録媒体から書き込こまれ、書き込まれた画像記録媒体は回転軸２１１を中心として回転し画像書込装置２上から移動し、次の画像記録媒体が画像書込装置２上にセットされる。この動作を繰り返すことで複数ページの書込みが複数枚の画像記録媒体を分離することなく実現される。
【００３１】
図５は、図４に示す画像書込装置の構成を示す断面図である。
【００３２】
図５に示す画像記録装置２には、綴られた３枚の画像記録媒体１００＿１１，１００＿１２，１００＿１３がセットされセットされた３枚の画像記録媒体１００＿１１，１００＿１２，１００＿１３を１枚ずつ所定の画像書込位置に移動させるとともに、さらにその画像書込位置から離れた書込最終位置に移動させる媒体移動機構２１０が備えられている。媒体移動機構２１０には、回転軸２１１に軸支されたギア２１２と、そのギア２１２に係合されたステッピングモータ２１３と、筐体２１４内に配置された軸固定クラッチ板２１５，フリークラッチ板２１６，スペーサ２１７と、筐体２１４のネジ部２１８に固定されたロックピン２１９と、クラッチ制御ソレノイド２２０とが備えられている。
【００３３】
また、画像記録装置２には、画像書込位置に順次移動してきた各画像記録媒体１００＿１１，１００＿１２，１００＿１３に各可視画像を書き込む画像書込部２３０が備えられている。この画像書込部２３０には、画像表示画面２３１と、その表示画面２３１の端部に螺合されたネジ部２３２と、そのネジ部２３２に軸支されたギア２３３と、そのギア２３３に係合されたステッピングモータ２３４とが備えられている。
【００３４】
図５に示すようにセットされた各画像記録媒体１００＿１１，１００＿１２，１００＿１３は、一番下の媒体である画像記録媒体１００＿１１が書き込まれた後、ステッピングモータ２１３によりロックピン２１９が上昇し１番下の画像記録媒体１００＿１１のみが回転自在となる。この段階でクラッチ制御ソレノイド２２０がフリークラッチ板２１６を押し上げ、フリークラッチ板２１６と画像記録媒体１００＿１１間の摩擦により１番下の画像記録媒体１００＿１１のみが回転し、画像表示画面２３１上から除かれる。次にステッピングモータ２３４の回転により画像表示画面２３１が上昇し、２枚目の画像記録媒体１００＿１２と接触する。この動作を繰り返すことで複数枚（ここでは３枚）の画像記録媒体の書込みが行なわれる。
【００３５】
図６は、本発明の第３の画像書込装置の第１実施形態を示す図である。
【００３６】
図６に示す画像書込装置３には、画像記録媒体保持リング３１０で綴られた複数枚（ここでは３枚）の画像記録媒体１００＿２１，１００＿２２，１００＿２３がセットされセットされた画像記録媒体１００＿２１，１００＿２２，１００＿２３のうちの端に重ねられた１枚の画像記録媒体１００＿２１に露光光を照射して可視画像を書き込む画像書込部３２０が備えられている。
【００３７】
また、画像書込装置３には、画像書込部３２０で可視画像が書き込まれるごとに、画像書込部３２０にセットされた、綴られた３枚の画像記録媒体１００＿２１，１００＿２２，１００＿２３のうちの可視画像が書き込まれた１枚の画像記録媒体を画像書込部３２０から退避させる媒体退避機構３３０が備えられている。媒体退避機構３３０には、ステッピングモータ３３１と、そのステッピングモータ３３１に軸支されたギア３３２と、そのギア３３２に噛合されたギア３３３と、ギア３３３が軸支されるとともに画像書込部３２０の端部に回転自在に取り付けられた回転軸３３４と、退避する画像記録媒体以外の画像記録媒体を保持するロックピン３３５と、そのロックピン３３５を駆動するためのソレノイド３３６とが備えられている。
【００３８】
図７は、図６に示す画像書込装置の動作を示す図である
本実施形態の画像書込装置３は、画像記録媒体１００＿２１，１００＿２２，１００＿２３の移動を、自由落下により行なう方式を採用している。先ず、図７（ａ）に示すように、画像記録媒体１００＿２１に画像書込部３２０で画像を書き込む。次に、図７（ｂ）に示すように、ステッピングモータ３３１を正回転させて画像書込部３２０を下向きに折り曲げる。支えを無くした画像記録媒体１００＿２１は下向きに落下する。この時、画像記録媒体１００＿２２，１００＿２３は、ロックピン３３５で固定されており落下することはない。次に、ステッピングモータ３３１を逆回転させて画像書込部３２０を水平位置に戻した後、ソレノイド３３６を駆動して画像記録媒体１００＿２２のみロック状態を解除し、画像書込部３２０上にセットする。以下、画像記録媒体１００＿２１と同様にして、画像記録媒体１００＿２２に画像を書き込む。このようにして、図７（ｃ）に示すように、綴られた全ての画像記録媒体１００＿２１，１００＿２２，１００＿２３に効率良く画像データを書き込むことができる。
【００３９】
図８は、本発明の第３の画像書込装置の第２実施形態を示す図である。
【００４０】
画像書込部３２０の稼動方向は下向きだけでなく、平面に対して回転させる方向であってもよい。そこで、図８に示す画像書込装置４には、画像書込部３２０の端部に取り付けられた回転軸３４１と、その回転軸３４１に軸支されたギア３４２と、そのギア３４２を介して回転軸３４１を回転させるためのステッピングモータ３４３とを有する媒体退避機構３４０が備えられている。
【００４１】
図９は、図８に示す画像書込装置の動作を示す図である
図９（ａ）に示すように、画像記録媒体１００＿２１に画像書込部３２０で画像を書き込む。次に、図９（ｂ）に示すように、ステッピングモータ３４３を回転させて画像書込部３２０を回転させる。支えを無くした画像記録媒体１００＿２１は下向きに落下する。この時、画像記録媒体１００＿２２，１００＿２３は、ロックピン３３５で固定されており落下することはない。次に、ソレノイド３３６を駆動して画像記録媒体１００＿２２のみロック状態を加除し、画像書込部３２０上にセットする。以下、画像記録媒体１００＿２１と同様にして、画像記録媒体１００＿２２に画像を書き込む。このようにして、綴られた画像記録媒体１００＿２１，１００＿２２，１００＿２３に画像データを書き込んでもよい。
【００４２】
図１０は、本発明の第３の画像書込装置の第３実施形態における、書込装置としてプロジェクタを用いて画像記録媒体に画像を書き込む様子を示す図である。
【００４３】
図１０に示す画像記録媒体１００＿２１には、プロジェクタ３５０により画像が投影され、これにより画像が書き込まれる。書き込まれた画像記録媒体１００＿２１は、自由落下する。このようにすると、ステッピングモータやギア等が不要となりコストの低減化を図ることができる。
【００４４】
図１１は、本発明の第３の画像書込装置の第４実施形態における、画像記録媒体に画像を書き込む様子を示す図である。
【００４５】
ここでは、画像記録媒１００＿２１，…，１００＿２７の側部をリング軸部３６０に固定し、そのリング軸部３６０を中心にして画像記録媒１００＿２１，…，１００＿２７を水車のように回転させて画像を記録する方式である。リング軸部３６０と各画像記録媒体１００＿２１，…，１００＿２７は電気的に接続されており、各画像記録媒体１００＿２１，…，１００＿２７は全体若しくはリング軸部３６０間にフレキシブルな部分を持ち、リング軸部３６０を中心にモータ（図示せず）により回転して画像書込部３２０上にセットされる。次いで、画像が書き込まれる。画像書込終了後、リング軸部３６０が回転し、書き込まれた画像記録媒体はフレキシブル部を支点に折れ曲がり画像書込部３２０の下に回り込む。それと同時に次の画像記録媒体が画像書込部３２０上にセットされる。この動作を繰り返すことで複数ページの書き込みが画像記録媒体を分離することなく実現できる。
【００４６】
ここで、画像記録媒体と画像書込部との接続方式としては、画像記録媒体１枚１枚に独立した信号ラインを設ける方式と、各画像記録媒体共に共通電極とし媒体選択信号により、書き込まれる画像記録媒体の信号ラインをトランジスタ等のスイッチング素子にて選択して、書込電圧が印加される画像記録媒体を選択する方式がある。
【００４７】
図１２は、書込電圧が印加される画像記録媒体を選択する方式の回路図である。
【００４８】
図１２には、Ｎ枚の画像記録媒体１００＿３１，１００＿３２．…，１００＿３ｎと、スイッチング素子４００＿１，４００＿２．…，４００＿ｎとが示されている。各画像記録媒体１００＿３１，１００＿３２．…，１００＿３ｎの各一端は、各スイッチング素子４００＿１，４００＿２．…，４００＿ｎの各一端に接続されている。また、各スイッチング素子４００＿１，４００＿２．…，４００＿ｎの各他端はグラウンドＧＮＤに共通接続されている。さらに、各スイッチング素子４００＿１，４００＿２．…，４００＿ｎの制御端子は共通接続され媒体選択信号が入力される。また、各画像記録媒体１００＿３１，１００＿３２．…，１００＿３ｎの各他端は共通接続され画像書込部からの駆動信号パルスが印加される。
【００４９】
これら画像記録媒体１００＿３１，１００＿３２．…，１００＿３ｎへの画像書込にあたり、先ず、媒体選択信号により画像記録媒体１００＿３１が選択される。画像記録媒体１００＿３１が選択されている状態で、画像書込部からの駆動信号パルスが印加され、これにより画像記録媒体１００＿３１に画像が書き込まれる。次いで、媒体選択信号により画像記録媒体１００＿３２が選択され、その状態で画像書込部からの駆動信号パルスが印加され、これにより画像記録媒体１００＿３２に画像が書き込まれる。以下、同様にして、Ｎ枚目の画像記録媒体１００＿３ｎにまで画像が書き込まれる。
【００５０】
【発明の効果】
以上説明したように、本発明によれば、綴られた複数枚の画像記録媒体に効率良く画像データを書き込むことのできる。このため、綴られた複数枚の画像記録媒体をバラすことなく簡単にページの差し替えが可能となる。特にマニュアルや新聞のような頻繁に改定を行なうものに対して、電子情報を呼び出す手間もなく、物理的媒体により即座に最新の情報を閲覧できる環境が構築できる。
【図面の簡単な説明】
【図１】本発明の第１の画像書込装置の一実施形態を示す斜視図である。
【図２】図１に示す画像記録装置の断面図である。
【図３】綴代解除部の構造を示す図である。
【図４】本発明の第２の画像書込装置の一実施形態にセットされた複数枚の画像記録媒体を示す図である。
【図５】図４に示す画像書込装置の構成を示す断面図である。
【図６】本発明の第３の画像書込装置の第１実施形態を示す図である。
【図７】図６に示す画像書込装置の動作を示す図である
【図８】本発明の第３の画像書込装置の第２実施形態を示す図である。
【図９】図８に示す画像書込装置の動作を示す図である
【図１０】本発明の第３の画像書込装置の第３実施形態における、書込装置としてプロジェクタを用いて画像記録媒体に画像を書き込む様子を示す図である。
【図１１】本発明の第３の画像書込装置の第４実施形態における、画像記録媒体に画像を書き込む様子を示す図である。
【図１２】書込電圧が印加される画像記録媒体を選択する方式の回路図である。
【符号の説明】
１，２，３，４  画像記録装置
１０  綴代解除部
１１  綴ネジ加工ピン
１２，３３＿１，３３＿２，２１３，２３４，３３１，３４２  ステッピングモータ
１３＿１，１３＿２，２１２，２３３，３３２，３３３，３４２  ギア
１４  スプリング
１６  綴ネジ加工ピン脱落防止ガイド
２０，２３０，３２０  画像書込部
２１，１００ｄ  電極
３０  媒体搬送部
３１＿１，３１＿２，３１＿３，３１＿４  支持ゴムロール
３２  支持スライドレール
３４＿１，３４＿２  駆動ゴムロール
４０  再綴り部
１００＿１，１００＿２，１００＿３，１００＿１１，１００＿１２，１００＿１３，１００＿１４，１００＿１５，１００＿２１，…，１００＿２７，１００＿３１，１００＿３２，…，１００＿３ｎ  画像記録媒体
１００ａ  綴代
１００ｂ  支持ガイド部
１００ｃ  自動綴代固定部
２１０  媒体移動機構
２１１  回転軸
２１４  筐体
２１５  軸固定クラッチ板
２１６  フリークラッチ板
２１７  スペーサ
２１８，２３２  ネジ部
２１９  ロックピン
２２０  クラッチ制御ソレノイド
２３１  画像表示画面
３１０  画像記録媒体保持リング
３３０，３４０  媒体退避機構
３３４，３４１  回転軸
３３５  ロックピン
３３６  ソレノイド
３５０  プロジェクタ
３６０  リング軸部
４００＿１，４００＿２．…，４００＿ｎ  スイッチング素子
【図１】
0003899855.tif 000002
【図２】
0003899855.tif 000003
【図３】
0003899855.tif 000004
【図４】
0003899855.tif 000005
【図５】
0003899855.tif 000006
【図６】
0003899855.tif 000007
【図７】
0003899855.tif 000008
【図８】
0003899855.tif 000009
【図９】
0003899855.tif 000010
【図１０】
0003899855.tif 000011
【図１１】
0003899855.tif 000012
【図１２】
0003899855.tif 000013